(57)【要約】【課題】トイレ内の便器の左右いずれの壁面にも配置することのできる血圧計付きトイレカウンタを提供する。【解決手段】血圧計付きトイレカウンタは、壁面に固定されたカウンタ部材と、カウンタ部材の下面に配置された血圧測定部１２とを備えている。血圧測定部１２は、カウンタ部材の下面に取り付けられその正面に開口部２１を有するケース２０と、ケース２０に下縁部が支軸２７を介して軸支され開口部２１を閉塞する状態と水平状態との範囲内で回動可能な扉２２と、計測開始用のスイッチ２３ａおよび測定した血圧値を表示する表示部２３ｂを有する血圧計本体２３と、血圧計本体２３とチューブ２４を介して連結されたカフ２５とを有する血圧計４０と、血圧計本体２３を扉２２に装着する固定カバー２６とを備えている。【選択図】  図４
2006271408.tif 000002
【特許請求の範囲】
【請求項１】
トイレ壁面に固定されたカウンタ部材と、
前記カウンタ部材の下面に取り付けられその正面に開口部を有するケースと、
前記ケースに下縁部が軸支され前記開口部を閉塞する状態と水平状態との範囲内で回動可能な扉と、
計測開始用のスイッチおよび測定した血圧値を表示する表示部を有する血圧計本体と、前記血圧計本体とチューブを介して連結されたカフとを有する血圧計と、
前記血圧計本体を前記扉に装着する固定カバーと、
を備えた血圧計付きトイレカウンタであって、
前記血圧計本体の表示部および前記スイッチを露出させる窓を前記固定カバーの上面に設け、前記扉に対する前記固定カバーの取り付け方向が変更可能であることを特徴とする血圧計付きトイレカウンタ。
【請求項２】
前記血圧計の測定結果を外部に送信するための通信ケーブルを前記血圧計本体から延設するとともに、前記固定カバーの互いに相対する側面にそれぞれ前記通信ケーブルを挿通させるための孔部を開設したことを特徴とする請求項１記載の血圧計付きトイレカウンタ。
【請求項３】
前記固定カバーの上面に、前記カフを着脱可能に収納するための収納部を設けたことを特徴とする請求項１または２記載の血圧計付きトイレカウンタ。
【請求項４】
前記ケースの後方下部に、トイレ壁面に突き当たる当接部を設けたことを特徴とする請求項１〜３のいずれかに記載の血圧計付きトイレカウンタ。
【請求項５】
前記固定カバーを、前記血圧計本体を保持する載置部と、前記固定カバー内で前記通信ケーブルを保持するための保持リブとが設けられた底板と、前記窓が開設されたカバー本体とで形成したことを特徴とする請求項２〜４のいずれかに記載の血圧計付きトイレカウンタ。
【請求項６】
前記カウンタ部材の下方領域に、前記ケースに隣接するトイレットペーパーホルダを配置したことを特徴とする請求項１〜５のいずれかに記載の血圧計付きトイレカウンタ。
【発明の詳細な説明】
【技術分野】
【０００１】
本発明は、トイレ内において血圧測定を行うことができるようにするため、トイレ壁面に設けられる血圧計付きトイレカウンタに関する。
【背景技術】
【０００２】
近年の健康志向の高まりに伴い、トイレ内において体重、血圧、体脂肪率などを測定でるようにしたトイレシステムが数多く提案されている。このようなトイレシステムにおいて、本願と関連する先行技術として、便器の近傍に、出し入れ可能な血圧計が配置された健康チェックトイレルームがある（例えば、特許文献１参照。）。
【０００３】
この健康チェックトイレルームには、便器の近傍に、血圧計カフを収納可能な引き出しが設けられ、この引き出しは、便器に着座した被測定者の心臓の高さに配置され、被測定者が血圧測定するときに肘を置くことのできる肘置部が設けられている。このような構成とすることにより、安定した姿勢で、正確な血圧測定を行うことができる。
【０００４】
【特許文献１】実開平７−３４９７号公報
【発明の開示】
【発明が解決しようとする課題】
【０００５】
特許文献１に記載された健康チェックトイレルームの場合、被測定者は肘置部に肘を置いた安定した楽な姿勢で血圧測定を行うことができるという点では優れている。しかしながら、実際には住宅事情などの各種制約があるため、常に、便器に着座した被測定者の右側に、血圧計カフを収納可能な引き出しやタッチパネルなどを配置できるものではない。
【０００６】
従って、便器の右側、左側に配置して血圧測定できるようにするためには、右側用と左側用とをそれぞれ別々に製作する必要がある。このため、資材点数の増加、生産管理の煩雑化を招いている。また、設置場所の状況とは左右関係が異なるものが施工現場に搬入されると、適切なものに取り替えなければ対応できないため、面倒である。
【０００７】
本発明が解決しようとする課題は、トイレ内の便器の左右いずれの壁面にも配置することのできる血圧計付きトイレカウンタを提供することにある。
【課題を解決するための手段】
【０００８】
本発明の血圧計付きトイレカウンタは、
トイレ壁面に固定されたカウンタ部材と、
前記カウンタ部材の下面に取り付けられその正面に開口部を有するケースと、
前記ケースに下縁部が軸支され前記開口部を閉塞する状態と水平状態との範囲内で回動可能な扉と、
計測開始用のスイッチおよび測定した血圧値を表示する表示部を有する血圧計本体と、前記血圧計本体とチューブを介して連結されたカフとを有する血圧計と、
前記血圧計本体を前記扉に装着する固定カバーと、
を備えた血圧計付きトイレカウンタであって、
前記血圧計本体の表示部および前記スイッチを露出させる窓を前記固定カバー上面に設け、前記扉に対する前記固定カバーの取り付け方向が変更可能であることを特徴とする。
【０００９】
このような構成とすれば、ケースの開口部を開閉する扉に血圧計本体を装着する固定カバーの取り付け方向が変更可能となるため、便器に着座した被測定者の右側、左側のいずれに配置しても、固定カバーの取り付け方向を変更することにより、被測定者は表示部を正しい方向から視認できるようになる。従って、１種類の血圧計付きトイレカウンタをトイレ内の便器の左右いずれの壁面にも配置することができる。
【００１０】
ここで、前記血圧計の測定結果を外部に送信するための通信ケーブルを前記血圧計本体から延設するとともに、前記固定カバーの互いに相対する側面にそれぞれ前記通信ケーブルを挿通させるための孔部を開設すれば、通信ケーブルの配線方向も変更可能となるため、左右互換性がさらに向上する。
【００１１】
また、前記固定カバーの上面に、前記カフを着脱可能に収納するための収納部を設ければ、カフを安定した状態で収納することが可能となり、カフの出し入れも容易となる。
【００１２】
一方、前記ケースの後方下部に、トイレ壁面に突き当たる当接部を設ければ、固定カバーに加わる荷重を、当接部を介して壁面で支えることが可能となるため、ケースのカウンタ部材への取付部や支軸が破損されにくくなる。
【００１３】
また、前記固定カバーを、前記血圧計本体を保持する載置部と、前記固定カバー内で前記通信ケーブルを保持するための保持リブとが設けられた底板と、前記窓が開設されたカバー本体とで形成すれば、固定カバー内において、血圧計本体や通信ケーブルを安定保持することができるようになるため、扉の開閉操作に起因する血圧計本体の揺動や通信ケーブルの損傷などを防止することができる。
【００１４】
さらに、前記カウンタ部材の下方領域に、前記ケースに隣接するトイレットペーパーホルダを配置すれば、トイレットペーパーの設置箇所を別に設ける必要がなくなるため、トイレ内の限られた空間を有効活用することができる。
【発明の効果】
【００１５】
本発明により、トイレ内の便器の左右いずれの壁面にも配置することのできる血圧計付きトイレカウンタを提供することができる。
【発明を実施するための最良の形態】
【００１６】
以下、図面に基づいて、本発明の実施の形態について説明する。図１は本発明の実施の形態である血圧計付きトイレカウンタを設けたトイレルームを示す図、図２は図１に示す血圧計付きトイレカウンタの正面図、図３は図２におけるＡ−Ａ線断面図、図４は図３に示す血圧計付きトイレカウンタを構成する血圧測定部を示す斜視図、図５は図４に示す血圧測定部を構成する筐体などを示す斜視図、図６は図５に示す固定カバーを構成するカバー本体の裏面側斜視図である。なお、以下の説明で用いる「前」、「後」、「左」、「右」という表現は、図１に示すトイレルーム６０内に設置された便器６４に用便姿勢で着座した被測定者を基準にした方向をいう。
【００１７】
図１，図２に示すように、本実施形態の血圧計付きトイレカウンタ１０は、複数の壁面６１，６２，６３などによって区画されたトイレルーム６０の左側の壁面６３に配置されている。トイレルーム６０内の床面には便器６４が設置され、その右側の壁面６２には、給水栓４５ａを備えた手洗いボウル４５と、その上方に位置する体脂肪計５２と、その上方に位置する鏡５１などが配置されている。体脂肪計５２は、鏡５１と手洗いボウル４５との間に配置された本体基板４と、その左右両側にそれぞれ起立倒伏可能に軸支された体脂肪率測定用のアーム部５ａ，５ｂとを備えている。
【００１８】
トイレルーム６０の後方の壁面６１の下方にはキャビネット６６が配置され、左側の壁面６３には、前述した血圧計付きトイレカウンタ１０のほか、手すり１１、便器６４の衛生洗浄装置（図示せず）を操作、制御するためのリモコン１４、トイレットペーパーホルダ１３などが配置されている。また、手洗いボウル４５下方の床面には、埋め込み方式の体重計６５が配置されている。
【００１９】
次に、図３〜図６を参照して、血圧計付きトイレカウンタ１０について説明する。図３，図４に示すように、血圧計付きトイレカウンタ１０は、壁面６３に固定されたカウンタ部材２と、カウンタ部材２の下面に配置された血圧測定部１２とを備えている。血圧測定部１２は、カウンタ部材２の下面に取り付けられその正面に開口部２１を有するケース２０と、ケース２０に下縁部が支軸２７を介して軸支され開口部２１を閉塞する状態と水平状態との範囲内で回動可能な扉２２と、計測開始用のスイッチ２３ａおよび測定した血圧値を表示する表示部２３ｂを有する血圧計本体２３と、血圧計本体２３とチューブ２４を介して連結されたカフ２５とを有する血圧計４０と、血圧計本体２３を扉２２に装着する固定カバー２６とを備えている。
【００２０】
図４に示すように、固定カバー２６は、カバー本体２６ａと底板２６ｂとで形成されている。カバー本体２６ａには、血圧計本体２３の表示部２３ｂおよびスイッチ２３ａを露出させるための窓２６ｃと、カフ２５を着脱可能に収納するための収納部３６とが設けられている。収納部３６は窓２６ｃよりも低い位置（扉２２寄りの位置）に設けられ、収納部３６に収納されたカフ２５を着脱可能に係止するための係止ベルト３５が設けられている。また、カバー本体２６ａの互いに相対する側面には、それぞれ通信ケーブル４１や電源コード４２を挿通させるための孔部２６ｘ，２６ｙが開設されている。また、図６に示すように、カバー本体２６ａの裏面には、通信ケーブル４１やチューブ２４などを保持するための保持リブ２６ｇ，２６ｈが設けられている。一方、底板２６ｂには、血圧計本体２３を保持するため四角形の隔壁２６ｅで囲繞された載置部２６ｄと、固定カバー２６内に配置される通信ケーブル４１やチューブ２４（図６参照）を下側から保持するための保持リブ２６ｆとが設けられている。
【００２１】
図５に示すように、扉２２は支軸２７を介してケース２０に回動可能に取り付けられており、扉２２の下縁部両端の支軸２７付近には扇形の補強部３３，３４が形成され、扉２２の開閉動作中は、補強部３３，３４の一部が、ケース２０の両側壁内面に形成された円弧状のガイド溝３２，３７（図８，図９参照）に沿って移動する。また、扉２２の開放速度を緩和するため、一方の補強部３４に減速用のダンパ３８が設けられている。扉２２の背面には、その外周に沿って周壁２８が形成され、周壁２８の支軸２７寄りの部分には通信ケーブル４１などを通すためのＵ字形状の切欠部２８ａ，２８ｂが設けられている。この周壁２８で囲繞された領域内に、血圧計本体２３、チューブ２４、カフ２５および固定カバー２６などで構成された血圧計ユニット１（図７参照）が着脱可能に装着される。
【００２２】
血圧計本体２３のスイッチ２３ａおよび表示部２３ｂをカバー本体２６ａの窓２６ｃから露出させるとともに、血圧計本体２３の底部２３ｃ（図６参照）を底板２６ｂの載置部２６ｄに配置した状態でカバー本体２６ａと底板２６ｂとを組み立て、カバー本体２６ａ上面の収納部３６にカフ２５を丸めた状態で載置して係止ベルト３５で係止すると、血圧計ユニット１が形成される（図７参照）。この血圧計ユニット１は、この状態で、扉２２の背面の周壁２８で囲繞された領域内に着脱可能であり、この場合、扉２２に対する装着方向が１８０度変更可能である。
【００２３】
次に、図７〜図９を参照して、血圧計付きトイレカウンタ１０の機能などについて説明する。図７は図４に示す血圧測定部を構成する血圧計ユニットの斜視図、図８は図４に示す血圧測定部を左配置用にセットした状態を示す斜視図、図９は図４に示す血圧測定部を右配置用にセットした状態を示す斜視図である。図１で示したトイレルーム６０内で被測定者が血圧を測定する場合、便器６４に着座した状態で、血圧計付きトイレカウンタ１０の血圧測定部１２の扉２２を開く。このとき、閉止状態にある扉２２は、図４に示すように、互いに係脱可能なラッチ３０とフック３１とでロックされているため、扉２２の表面のラッチ３０付近を軽く押すだけで、ロックが解除され、扉２２はダンパ３８の作用により支軸２７を中心に緩やかに回動して、水平状態まで開く。
【００２４】
図８に示すように、扉２２が水平状態まで開いたら、係止ベルト３５を開いてカフ２５およびチューブ２４を収納部３６から取り出し、カフ２５を手首に装着する。そして、窓２６ｃから露出している血圧計本体２３のスイッチ２３ａを押すと、血圧計本体２３内からチューブ２４を介してカフ２５へエアが供給される。この後は従来の血圧計と同様、自動的に最高血圧、最低血圧および脈拍が測定され、それらの測定値が表示部２３ｂに表示されるため、被測定者は目視確認することができる。なお、これらの測定値は通信ケーブル４１を介して他の機器（例えば、記憶装置、演算装置、情報処理装置など）へ送信することもできる。
【００２５】
血圧測定が終わったら、スイッチ２３ａを押して電源をＯＦＦし、カフ２５を手首から外して丸め、その周りにチューブ２４を巻くか、丸めたカフ２５内にチューブ２４を収容するかして、小さく纏めた後、収納部３６上に載置し、係止ベルト３５で係止する。この後は、扉２２を上方に持ち上げて支軸２７を中心に回動させ、ケース２０の開口部２１を閉塞する。このとき、扉２２の表面のラッチ３０付近を軽く押すと、ラッチ３０とフック３１とが係合して扉２２がロックされる。
【００２６】
前述したように、血圧測定部１２を構成する血圧計ユニット１は、図７に示す状態で、ケース２０の開口部２１を開閉する扉２２に対して着脱可能であり、この場合、扉２２に対する血圧計ユニット１の装着方向が１８０度変更可能である。即ち、扉２２に対する血圧計ユニット１の装着方向として、図８または図９のいずれかに示す状態を選択することができ、図８，図９の状態間で相互に変更可能である。
【００２７】
従って、図１で示したように、便器６４の左側の壁面６３に血圧計付きトイレカウンタ１０が配置される場合は、血圧計ユニット１を図８に示すような方向にして扉２２に装着する。このように装着すれば、固定カバー２６の窓２６ｃから露出する血圧計本体２３の表示部２３ｂに示される測定値の数字は、便器６４に着座した被測定者の左側において正立方向となるため、視認し易い方向となる。
【００２８】
一方、図１に示すトイレルーム６０とは逆に、便器の右側の壁面に血圧計付きトイレカウンタ１０を配置する場合は、血圧計ユニット１を図９に示すような方向にして扉２２に装着する。このように装着すれば、固定カバー２６の窓２６ｃから露出する血圧計本体２３の表示部２３ｂに示される測定値の数字は、便器に着座した被測定者の右側において正立方向となるため、視認し易い方向となる。
【００２９】
このように、便器６４に着座した被測定者の右側、左側のいずれに配置しても、固定カバー２６とともに血圧計ユニット１の取り付け方向を変更することにより、被測定者は表示部２３ｂを正しい方向から視認できるようになる。勿論、血圧計ユニット１はカウンタ部材２の長尺方向のいずれにも設置することができる。従って、１種類の血圧計付きトイレカウンタ１０をトイレルームの便器の左右いずれの壁面にも配置することができる。なお、本実施形態において、血圧計ユニット１は、固定カバー２６の底板２６ｂと扉２２の背面との間に介在させた面ファスナ（図示せず）によって扉２２に係止されているため、ケース２０の開口部２１の閉塞時に扉２２が垂直状態にあっても、血圧計ユニット１が扉２２から離脱することはない。なお、面ファスナは係脱可能であるため、一旦装着した後の血圧計ユニット１の方向変更も可能である。
【００３０】
また、図６で示したように、本実施形態においては、血圧測定部１２の測定結果を外部に送信するための通信ケーブル４１を血圧計本体２３から延設するとともに、固定カバー２６を構成するカバー本体２６ａの互いに相対する側面にそれぞれ通信ケーブル４１を挿通させるための孔部２６ｘ，２６ｙを開設している。このため、血圧計ユニット１の装着方向の変更に伴う、通信ケーブル４１の配線方向の変更も可能となるため、左右互換性がさらに向上する。この場合、扉２２の回動中心となる支軸２７に近い方の孔部２６ｘ，２６ｙに通信ケーブル４１などを挿通させることができるため、扉２２の開閉動作に伴う通信ケーブル４１の変形、移動を抑制することができる。従って、扉２２の開閉動作に起因する通信ケーブル４１などの損傷、劣化を防止することができる。
【００３１】
また、血圧計ユニット１を構成する固定カバー２６（カバー本体２６ａ）の上面に、カフ２５を着脱可能に収納するための収納部３６を設けているため、カフ２５を安定した状態で収納することが可能であり、カフ２５の出し入れも容易となる。収納中のカフ２５は係止ベルト３５で係止されているため、待機中あるいは扉２２の開閉動作中に、収納部３６から外れることもない。
【００３２】
一方、図３に示すように、ケース２０の後方下部には、トイレルーム６０の壁面６３に突き当たる当接部２０ａを設けているため、固定カバー２６に加わる荷重は当接部２０ａを介して壁面６３で支えられることとなり、ケース２０のカウンタ部材２への取付部や支軸２７が破損されにくくなる。
【００３３】
また、固定カバー２６は、血圧計本体２３を保持する載置部２６ｄおよび通信ケーブル４１などを保持するための保持リブ２６ｆが設けられた底板２６ｂと、窓２６ｃが開設されたカバー本体２６ａとで形成されている。従って、固定カバー２６内において、血圧計本体２３や通信ケーブル４１などを安定保持することができ、扉２２の開閉操作に起因する血圧計本体２３の揺動や通信ケーブル４１の損傷、劣化などを防止することができる。
【００３４】
さらに、カウンタ部材２の下方領域には、血圧測定部１２のケース２０と隣接するトイレットペーパーホルダ１３を配置している。これにより、トイレットペーパーの設置箇所を別に設ける必要がなくなるため、用便姿勢で着座した被測定者にとって使いやすい位置にトイレットペーパーホルダ１３および血圧計ユニット１を設置することができる。
【産業上の利用可能性】
【００３５】
本発明の血圧計付きトイレカウンタは、一般住宅のトイレ内などに設置して広く利用することができる。
【図面の簡単な説明】
【００３６】
【図１】本発明の実施の形態である血圧計付きトイレカウンタを設けたトイレルームを示す図である。
【図２】図１に示す血圧計付きトイレカウンタの正面図である。
【図３】図２におけるＡ−Ａ線断面図である。
【図４】図３に示す血圧計付きトイレカウンタを構成する血圧測定部を示す斜視図である。
【図５】図４に示す血圧測定部を構成する筐体などを示す斜視図である。
【図６】図５に示す固定カバーを構成するカバー本体の裏面側斜視図である。
【図７】図４に示す血圧測定部を構成する血圧計ユニットの斜視図である。
【図８】図４に示す血圧測定部を左配置用にセットした状態を示す斜視図である。
【図９】図４に示す血圧測定部を右配置用にセットした状態を示す斜視図である。
【符号の説明】
【００３７】
１  血圧計ユニット
２  カウンタ部材
４  本体基板
５ａ，５ｂ  アーム部
１０  血圧計付きトイレカウンタ
１１  手すり
１２血圧測定部
１３  トイレットペーパーホルダ
１４  リモコン
２０  ケース
２０ａ  当接部
２１  開口部
２２  扉
２３  血圧計本体
２３ａ  スイッチ
２３ｂ  表示部
２３ｃ  底部
２４  チューブ
２５  カフ
２６  固定カバー
２６ａ  カバー本体
２６ｂ  底板
２６ｃ  窓
２６ｄ  載置部
２６ｅ  隔壁
２６ｆ，２６ｇ，２６ｈ  保持リブ
２６ｘ，２６ｙ  孔部
２７  支軸
２８  周壁
２８ａ，２８ｂ  切欠部
３０  ラッチ
３１  フック
３２，３７  ガイド溝
３３，３４  補強部
３８  ダンパ
３５  係止ベルト
３６  収納部
４０  血圧計
４１  通信ケーブル
４２  電源コード
４５  手洗いボウル
４５ａ  給水栓
５１  鏡
５２  体脂肪計
６０  トイレルーム
６１，６２，６３  壁面
６４  便器
６５  体重計
６６  キャビネット
【図１】
2006271408.tif 000003
【図２】
2006271408.tif 000004
【図３】
2006271408.tif 000005
【図４】
2006271408.tif 000006
【図５】
2006271408.tif 000007
【図６】
2006271408.tif 000008
【図７】
2006271408.tif 000009
【図８】
2006271408.tif 000010
【図９】
2006271408.tif 000011